(57)【要約】  【課題】一定方向に強い力がかかることに起因して発生する個人聴取器及び個人聴取器の接続端子の破損を回避する音聴取装置を提供する。  【解決手段】  個人聴取器と、個人聴取器の接続端子を変換プラグを介して接続し、変換プラグを介して、個人聴取器と、接続端子が接続されているときに、個人聴取器を変換プラグに対して脱抜する方向とは相違する方向に、個人聴取器、又は変換プラグに一定以上の力が加わることによって変換プラグに設けられた磁石によるヒンジ機構の保持が解除される構成とした。【選択図】  図１
2007110545.tif 000002
【特許請求の範囲】
【請求項１】
接続端子を備え、個人聴取器から出力される音声を直接的に又は間接的に制御する音出力装置と、
前記個人聴取器の接続プラグを挿入可能な挿入部と、前記接続端子に接続可能な接続部と、前記挿入部と前記接続部の間に設けた脱着機構と、該脱着機構を保持するための磁石と、を有する変換プラグを設け、
前記個人聴取器の接続プラグを前記変換プラグの挿入部に挿入し、前記接続端子と前記変換プラグの接続部とを接続することで、前記変換プラグを介して、前記個人聴取器と、前記接続端子が電気的に接続され、
前記個人聴取器の接続プラグを挿入部に対して脱抜する方向とは相違する方向に、前記個人聴取器、又は変換プラグに一定以上の力が加わることによって前記磁石による前記脱着機構の保持が解除されることを特徴とする音聴取装置。
【請求項２】
請求項１記載の音聴取装置において、
前記変換プラグの接続部の形状は、前記個人聴取器の接続プラグと略同一形状で構成され、前記接続端子に前記変換プラグの接続部を挿入可能な形状とし、前記変換プラグの接続部が前記接続端子に挿入されることにより、前記接続端子と前記変換プラグの接続部とが接続されることを特徴とする音聴取装置。
【請求項３】
請求項１乃至２いずれかの音聴取装置において、
前記個人聴取器の接続プラグを前記変換プラグの挿入部に挿入し、前記接続端子と前記変換プラグの接続部とを接続したときに、前記変換プラグが回転可能であることを特徴とする音聴取装置。
【請求項４】
請求項１乃至３いずれかの音聴取装置において、前記磁石による前記脱着機構の保持が解除されるとき、前記個人聴取器と前記接続端子の電気的接続が遮断されることを特徴とする音聴取装置。
【請求項５】
磁石により構成された第１接続部を備え、個人聴取器から出力される音声を直接的に又は間接的に制御する音出力装置と、
磁石により構成された第２接続部を備えた前記個人聴取器と、を備え、
前記第１接続部の磁石、及び前記第２接続部の磁石の吸引により、前記第１接続部と前記第２接続部を接続することで、前記個人聴取器と、前記音出力装置が電気的に接続され、
前記第１接続部と、前記第２接続部を接続する方向とは相違する方向に、前記個人聴取器に一定以上の力が加わることによって前記磁石による保持が解除されることを特徴とする音聴取装置。
【発明の詳細な説明】
【技術分野】
【０００１】
本発明は、利用者が個人聴取器を介して、音声を聴取することが可能である音聴取装置に関するものである。
【背景技術】
【０００２】
従来、個人聴取器(イヤフォン、ヘッドフォン等)の接続プラグは棒状になっており、筒状になっている個人聴取器の接続端子に挿入することで電気配線が接続され、個人聴取器から音声が出力されるようになっている。
しかし、筒状の接続端子に挿入された個人聴取器の接続プラグを前記接続端子から脱抜する方向(挿入方向に対して逆方向)以外の方向（特に垂直方向）に強い力がかかることにより、個人聴取器の被服配線の断線、個人聴取器の接続プラグ又は個人聴取器の接続端子の破損などが発生していた。
個人聴取器の接続端子や個人聴取器が、不特定多数の人が利用可能な音聴取装置の一部であった場合に、利用者が単なる不注意で個人聴取器の接続プラグに強い力をかけてしまうことにより、個人聴取器の接続プラグ又は個人聴取器の接続端子を破損してしまったにも係わらず、その結果、利用者が修理費用を弁済することになる等の問題が生じていた。更に、利用者が、故意に個人聴取器の接続プラグに強い力をかけ、憂さ晴らしで個人聴取器の接続プラグ又は個人聴取器の接続端子を破損してしまう等の問題も生じていた。
なお、特許文献１には、イヤフォンジャックの取り付け構造が開示され、特許文献２、特許文献３にイヤフォンのプラグ形状が開示されている。
【特許文献１】特開平１０−３３６２９３
【特許文献２】特開平１１−１１０７０４
【特許文献３】特開２０００−２９５１３３
【発明の開示】
【発明が解決しようとする課題】
【０００３】
上記点に鑑み、本発明は、一定方向に強い力がかかることに起因して発生する個人聴取器及び個人聴取器の接続端子の破損を回避する音聴取装置を提供することを課題とする。
【課題を解決するための手段】
【０００４】
前記課題を解決するため請求項１に記載の音聴取装置は、接続端子を備え、個人聴取器から出力される音声を直接的に又は間接的に制御する音出力装置と、前記個人聴取器の接続プラグを挿入可能な挿入部と、前記接続端子に接続可能な接続部と、前記挿入部と前記接続部の間に設けた脱着機構と、該脱着機構を保持するための磁石と、を有する変換プラグを設け、前記個人聴取器の接続プラグを前記変換プラグの挿入部に挿入し、前記接続端子と前記変換プラグの接続部とを接続することで、前記変換プラグを介して、前記個人聴取器と、前記接続端子が電気的に接続され、前記個人聴取器の接続プラグを挿入部に対して脱抜する方向とは相違する方向に、前記個人聴取器、又は変換プラグに一定以上の力が加わることによって前記磁石による前記脱着機構の保持が解除されることを特徴とするものである。
【０００５】
ここでいう「個人聴取器」とは、ヘッドフォン、イヤフォン等が構成として考えられる。「接続端子を備え、個人聴取器から出力される音声を直接的に又は間接的に制御する音出力装置」は、音出力装置がＣＰＵ、ＲＯＭを備え、個人聴取器から出力される音声を直接的に出力制御するものであっても良いし、音出力装置が、他の音響機器から電気信号を受信することにより、個人聴取器から出力される音声を間接的に出力制御するものであっても良い。
【０００６】
変換プラグに設けられた「前記個人聴取器の接続プラグを挿入可能な挿入部と、前記接続端子に接続可能な接続部」により、個人聴取器が、変換プラグを介して、接続端子に接続されることになる。
【０００７】
「前記挿入部と前記接続部の間に設けた脱着機構と、該脱着機構を保持するための磁石」との記載に関して、例えば、「脱着機構」としてヒンジ機構を採用することが考えられる。より具体的には、脱着機構、磁石の構成例として、図４(ｄ)に示すヒンジ機構４５や、磁石５０a、５０ｂを採用した構成が考えられる。図４(ｄ)の左側の図は、変換プラグ７のヒンジ機構４５が磁石５０a、５０ｂにより保持された状態を指しており、図４(ｄ)の右側の図は、磁石５０a、５０ｂによるヒンジ機構４５の保持が解除された状態を指している。
【０００８】
「前記個人聴取器の接続プラグを挿入部に対して脱抜する方向とは相違する方向に、前記個人聴取器、又は変換プラグに一定以上の力が加わることによって前記磁石による前記脱着機構の保持が解除される」構成の構成例として、例えば、図６(ｂ)に示すように、変換プラグを介して、個人聴取器と、前記接続端子が電気的に接続された状態において、個人聴取器の被覆配線が下方向に強く引っ張られる力が加わった場合に、ヒンジ機構４５の保持が解除される状態になり、個人聴取器に加わる下方向への力を逃すことによって、個人聴取器２、又は接続端子３の破損を防止する構成が考えられる。ここでいう「脱抜する方向」とは、個人聴取器の接続プラグを挿入部に対して挿入する方向の逆方向を指す。
【０００９】
従来の構成であると、個人聴取器の被覆配線が下に強く引っ張られる力が加わったときには、当該力が個人聴取器の接続プラグに直接かかり、個人聴取器の接続プラグが折れてしまったりする等、個人聴取器、接続端子等が破損してしまう可能性がある。ここでは、下に強く引っ張られる力が加えられた場合を、例に取り説明したが、無論、上方向への力が加わった場合や、その他、個人聴取器の接続プラグを挿入部に対して脱抜する方向とは相違する方向に力が加わることにより、磁石による脱着機構の保持が解除される構成を採用することができる。「一定以上の力」は、個人聴取器、接続端子の強度を考慮する必要があると共に磁石の磁力（吸引力）に依存するため、設計者側で好適な範囲で設定することが出来る。
【００１０】
接続端子が凸形状となっている場合には、無理な力が加わった際に凸形状となっている接続端子が破損する可能性が高いため、接続端子を凸形状とするよりも、変換パーツの接続部を凸形状とする方が好適である。また、接続端子を凹形状とすることにより、変換パーツの接続部と接続端子との接続が容易となる。尚、変換パーツの接続部を凸形状とすると、逆に変換パーツの接続部が破損する可能性が高くなるが、変換パーツが破損してしまっても、取替えは容易であるので、とりわけ問題が生じることはない。しかし、接続端子を破損してしまった場合には、接続端子を備えた音声出力装置自体を取替える必要が生じる可能性があり、手間がかかるので、変換パーツの接続部を凸形状とした方が好適である。
【００１１】
本発明における音聴取装置は、ＣＤプレイヤーなどの音響機器やウォークマンのような携帯型音響機器やパチンコ機などに採用することが考えられる。より好適には、不特定多数が利用する音響機器等に本発明における音聴取装置を採用するのが好ましい。不特定多数が利用する音聴取装置であると利用者により丁寧に取り扱われない場合があり、壊されるケースが多いので、そのようなケースを防止するために本発明は好適である。
【００１２】
請求項２に記載の音聴取装置は、請求項１記載の音聴取装置において、前記変換プラグの接続部の形状は、前記個人聴取器の接続プラグと略同一形状で構成され、前記接続端子に前記変換プラグの接続部を挿入可能な形状とし、前記変換プラグの接続部が前記接続端子に挿入されることにより、前記接続端子と前記変換プラグの接続部が接続されることを特徴とするものである。
【００１３】
「変換プラグの接続部の形状は、前記個人聴取器の接続プラグと略同一形状で構成され、前記接続端子に前記変換プラグの接続部を挿入可能な形状として構成され、」の構成における構成例を、図５を用いて説明する。すなわち、図５を参照すると、個人聴取器(イヤフォン)５の接続プラグ５aと、変換プラグ７の接続部４６の形状が同一形状であることが確認できる。そして、変換プラグ７の接続部４６を接続端子(イヤフォンプラグ)３に挿入することにより、接続端子３と変換プラグ７の接続部４６が接続される構成である。
【００１４】
請求項３に記載の音聴取装置は、請求項１乃至２いずれかの音聴取装置において、前記個人聴取器の接続プラグを前記変換プラグの挿入部に挿入し、前記接続端子と前記変換プラグの接続部とを接続したときに、前記変換プラグが回転可能であることを特徴とするものである。
【００１５】
「前記個人聴取器の接続プラグを前記変換プラグの挿入部に挿入し、前記接続端子と前記変換プラグの接続部とを接続したときに、前記変換プラグが回転可能である」との記載に関して、音聴取装置と利用者の位置関係を考慮して過度な力がかかり易い位置に脱着機構がくるように回転させるのが好ましい。
【００１６】
請求項４に記載の音聴取装置は、請求項１乃至３いずれかの音聴取装置において、前記磁石による前記脱着機構の保持が解除されるとき、前記個人聴取器と前記接続端子との電気的接続が遮断されることを特徴とするものである。
【００１７】
請求項４の構成例としては、脱着機構に設けられる一対の磁石を電磁石で構成し、該電磁石の近傍に電磁石の動きを検出するスイッチを備え、一対の磁石が互いに引き離される力が加わったときに個人聴取器と接続端子との電気的接続を遮断する構成が考えられる。
【００１８】
請求項５に記載の音聴取装置は、磁石により構成された第１接続部を備え、個人聴取器から出力される音声を直接的に又は間接的に制御する音出力装置と、磁石により構成された第２接続部を備えた前記個人聴取器と、を備え、前記第１接続部の磁石、及び前記第２接続部の磁石の吸引により、前記第１接続部と前記第２接続部を接続することで、前記個人聴取器と、前記音出力装置が電気的に接続され、前記第１接続部と、前記第２接続部を接続する方向とは相違する方向に、前記個人聴取器に一定以上の力が加わることによって前記磁石による保持が解除されることを特徴とするものである。
【発明の効果】
【００１９】
請求項１記載の発明によれば、個人聴取器の接続プラグを挿入部に対して脱抜する方向とは相違する方向に一定以上の力が個人聴取器又は変換プラグに加わることによって、磁石による脱着機構の保持が解除され、当該力が個人聴取器、変換プラグにかからないように力を逃がすことによって、個人聴取器及び接続端子の破損を回避することができる。
【００２０】
請求項２記載の発明によれば、変換プラグの接続部の形状を、個人聴取器の接続プラグと略同一形状で構成することにより、既存の接続端子に、変換プラグの接続部を接続することが可能となる。これにより、変換プラグの接続部に対応した接続端子を新しく用意する必要がなくなる。
【００２１】
請求項３記載の発明によれば、変換プラグが回転可能であるため、音出力装置と利用者の位置関係を考慮して一定以上の力がかかり易い位置に脱着機構がくるように回転させれば、より効果的に破損を回避することができる。
【００２２】
請求項４記載の発明によれば、磁石による脱着機構の保持が解除されるとき、個人聴取器と接続端子の電気的接続が遮断される構成としたので、利用者の不注意により、個人聴取器、又は変換プラグに一定以上の力が加わってしまった場合には、脱着機構の保持が解除され、個人聴取器と接続端子の電気的接続が遮断されることで、個人聴取器からの音声出力が止まるので、個人聴取器、又は変換プラグに一定以上の力が加わってしまったことに対して、利用者に注意を促すことが出来る。
【００２３】
請求項５記載の発明によれば、第１接続部の磁石、及び第２接続部の磁石の吸引により、第１接続部と第２接続部を接続することで、個人聴取器と、音出力装置が電気的に接続される構成としたので、第１接続部と第２接続部の磁石が吸引される方向とは相違する方向に強い力が個人聴取器に加わることによって、第１接続部と第２接続部との磁石の吸引による接続が外れ、加えられた力が個人聴取器に直接かからないように力を逃すことで、個人聴取器の破損を回避することができる。
【発明を実施するための最良の形態】
【００２４】
以下に、本発明の好適な実施形態について図面を参照して説明する。
【００２５】
(第１実施形態)
先ず、図１〜図６を用いて、第１実施形態について説明する。
【００２６】
図１は本実施形態の音聴取装置１を示している。本実施形態における音聴取装置１は、図２に示すように、遊技店内に隣接して多数設けられたパチンコ機(遊技機)２の遊技音を聴取するためにパチンコ機２の上部に設置されている。即ち、音聴取装置１は、パチンコ機２の島設備に該当するものである。
【００２７】
先ず、音聴取装置１について、図１を用いて説明する。音聴取装置１は、イヤフォンジャック３、イヤフォン５、変換パーツ７、情報表示装置９から構成される。イヤフォンジャック３には、変換パーツ７を接続することが可能であり、変換パーツ７にはイヤフォン５を接続することが可能である。イヤフォンジャック３に、変換パーツ７を接続し、変換パーツ７にイヤフォン５を接続することにより、パチンコ機２から出力される音声をイヤフォン５から聴取可能となる。イヤフォン５には、イヤフォン５を変換パーツ７に接続する為のイヤフォンプラグ５aが備えられている。イヤフォンジャック３は、情報表示装置９に設けられている。イヤフォン５は、本発明の個人聴取器に対応するものであり、イヤフォンジャック３は、接続端子に対応するものである。情報表示装置９は、本発明の音出力装置に対応するものである。変換パーツ７は本発明の変換プラグに対応するものである。
【００２８】
情報表示装置９は、パチンコ機２の大当たり遊技状態が終了してから、又は遊技店の開店時からの特別図柄の変動回数、大当たり回数等を表示する情報表示器１１、外部スピーカ１２等を備えている。
【００２９】
イヤフォンジャック３に、変換パーツ７を接続し、変換パーツ７にイヤフォン５を接続していない場合、遊技に関する音声は外部スピーカ１２から出力されるように構成されている。イヤフォンジャック３に、変換パーツ７を接続し、変換パーツ７にイヤフォン５を接続している場合、外部スピーカ１２からの出力はなされないが、遊技者はイヤフォン５から遊技に応じた効果音を聴取することが可能であり、このイヤフォン５から音声を聴取することにより隣接したパチンコ機２が出力する効果音等の周囲の音声が抑えられるため、パチンコ機２の効果音を聴き取りやすくなる。また、情報表示装置９には、イヤフォン５又は外部スピーカ１２に出力される音量を調整する音量調節スイッチ１５が設けられ、聴き取りやすいように調整可能である。音量調節スイッチ１５は、一対の押しボタンから構成されており、一対の押しボタンのうち、右側のボタンを押す毎にイヤフォン５から聞こえる音が次第に大きくなり、左側のボタンを押すことでイヤフォン５から聞こえる音が次第に小さくなる構成となっている。これにより、遊技者は所望の音量でパチンコ機２の遊技音を聴くことができる。尚、音量調節スイッチ１５は音量が調整出来る形状であれば、本実施形態に挙げたものに限定されるわけではない。
【００３０】
尚、情報表示装置９の左下部には、情報表示器１１の表示を切替える表示切替スイッチ１７が、左右上部には各種ランプ２２aが、情報表示器１１の下部には各種ＬＥＤ２２ｂが設けられている。
【００３１】
次に、パチンコ機２について説明する。図３は、パチンコ機２の正面図であり、パチンコ機２は、大きくは長方形の外枠（図示せず）と前面枠２５が設けられている。前面枠２５は、左端上下のヒンジにより外枠に対し回動可能に取り付けられている。前面枠２５の下方には球貯留部を備えた上皿２７が設けられ、賞球或いは貸球のための図示しない排出口と球抜き釦とを備えている。上皿２７と下皿２８とは連結されていて、上皿２７が遊技球で満杯状態になれば下皿２８に遊技球を誘導するよう構成されている。上皿２７と下皿２８の間には、遊技に応じた音を出力するためのスピーカ３０が内蔵されている。スピーカ３０からは、パチンコ機２の遊技に応じた効果音が出力される。
【００３２】
また、下皿２８の右側には発射ハンドル３２が取り付けられ、この発射ハンドル３２は、回動リング（タッチプレート）３２aと発射停止釦３２ｂを備え、回動リング３２aに手が触れることを条件に、この回動リング３２aを時計方向に回動すると、発射ハンドル３２の内部に設けたタッチスイッチ（図示略）がＯＮされ、遊技球を遊技盤３５上に発射することができる。遊技盤３５の中央部には、当否結果を遊技者に報知するための図柄表示装置としてのＬＣＤ３７が備えられている。ＬＣＤ３７の下部には、特別図柄始動口４０が設けられており、この特別図柄始動口４０の遊技球の入球に起因して、遊技者に当否結果を報知する為の特別図柄がＬＣＤ３７に表示される。尚、特別図柄始動口４０には、羽根部材４０aが設けられている。
【００３３】
特別図柄始動口４０に遊技球が入球することにより、当否乱数が取得され、この乱数値によりＬＣＤ３７に表示される特別図柄が決定される。この特別図柄が大当たりの表示態様で表示されると、遊技者が大量の賞球を獲得することができる大当たり遊技状態に移行する。大当たり遊技状態には、大入賞口４１が所定時間開放される、又は大入賞口４１へ所定個数の遊技球が入球することを１ラウンドとして、計１５ラウンドの開放が行われる。これにより、大入賞口４１に遊技球が入賞し、遊技者に大量の賞球が排出される。
【００３４】
尚、遊技盤３５上には特別図柄始動口４０、大入賞口４１以外にも一般入賞口、遊技釘等が備えられているが、図示は省略している。遊技盤３５上の特別図柄始動口４０、一般入賞口等に入球しなかった遊技球は、遊技盤３５最下部のアウト口４２を介して、アウト球として遊技盤３５面裏面に取り込まれる。
【００３５】
尚、外部スピーカ１２、イヤフォン５から出力されるパチンコ機２の遊技に応じた効果音と同一の音声がスピーカ３０から出力されるようになっており、更にスピーカ３０、外部スピーカ１２、イヤフォン５から出力される音声は、同一の音声が同期して出力される。尚、パチンコ機２内に設けられた主制御装置(図示せず)から電気信号が音声制御装置(図示せず)に出力されることにより、スピーカ３０から音声が出力されることになる。外部スピーカ１２、イヤフォン５からの音声出力は、主制御装置(図示せず)から、情報表示装置９、イヤフォンジャック３等を介して、電気信号が外部スピーカ１２、イヤフォン５に出力されることにより行われる。より具体的には、この電気信号は、情報表示装置９、イヤフォンジャック３の導通部５２、変換パーツの導通部４９a、変換パーツの導通部４９ｂ、変換パーツの導通部４９ｃ、イヤフォン５の導通部５３の順番に主制御装置からイヤフォン５に流れることにより、イヤフォン５から音声が出力される。
【００３６】
次に図４(a)〜(ｄ)を用いて、変換パーツ７について説明する。図４(a)は変換パーツ７の正面図を、(ｂ)は側面図を、(ｃ)は、a−a断面図を、(ｄ)は、変換パーツ７のヒンジ機構４５の説明図である。
【００３７】
変換パーツ７は、図４(ｂ)に示す通り、イヤフォンジャック３に挿入することで、イヤフォンジャック３と変換パーツ７を接続する為のイヤフォンジャック接続部４６を備えている。イヤフォンジャック接続部４６は、本発明の接続部に対応するものである。また図４(ｃ)に示す通り、変換パーツ７には、イヤフォンプラグ５aを挿入可能なプラグ挿入部４８が備えられている。プラグ挿入部４８は、本発明の挿入部に対応するものである。更に、変換パーツ７には、イヤフォンジャック接続部４６とプラグ挿入部４８の間にヒンジ機構４５、イヤフォンジャック接続部４６側に設けられた磁石５０a、プラグ挿入部４８側に設けられた磁石５０ｂ、変換パーツの導通部４９a、４９ｂ、４９ｃが設けられている。図４(ｄ)の左側の図が示す通り、ヒンジ機構４５は、イヤフォンジャック接続部４６側に設けられた磁石５０aと、プラグ挿入部４８側に設けられた磁石５０ｂの接続により、常時保持された状態となっているが、変換パーツ７に対して、一定以上の力が加わることにより、図４(ｄ)の右側の図が示すようにヒンジ機構４５の保持が解除された状態になる。尚、変換パーツ７と、イヤフォン５が接続された状態において、イヤフォン５に一定以上の力が加わった場合にも、ヒンジ機構４５の保持が解除される。尚、ヒンジ機構４５が、磁石５０aと、磁石５０ｂの接続により、保持されている状態のときに、電気信号が主制御装置からイヤフォン５に出力される場合、当該電気信号が、変換パーツの導通部４９a、変換パーツの導通部４９ｂ、変換パーツの導通部４９ｃを流れ、イヤフォン５に出力されることになるが、ヒンジ機構４５の保持が解除された状態のときには、変換パーツの導通部４９ｂと変換パーツの導通部４９ｃの接続が解除されるので(図４(ｄ)の右側の図参照)、電気信号を主制御装置からイヤフォン５に出力しても、当該電気信号が、変換パーツの導通部４９ｂから変換パーツの導通部４９ｃへと流れないので、結果的にイヤフォン５への電気信号の出力がなされず、イヤフォン５の音声出力は行われないことになる。
【００３８】
次にイヤフォン５と変換パーツ７の接続、変換パーツ７と情報表示装置９に設けられたイヤフォンジャック３の接続に関して、図５(a)にて説明する。図５(a)は、左から、イヤフォン５、変換パーツ７のa−a断面図(図４(a)、(c)参照)、情報表示装置９のb―b断面図(図５(ｂ)参照)を示すものとなっている。図５(a)の矢印aが示す方向に、イヤフォンプラグ５aが変換パーツ７のプラグ挿入部４８に挿入されることにより、イヤフォン５と変換パーツ７が接続される。更に、図５の矢印ｂが示す方向に、イヤフォンジャック接続部４６をイヤフォンジャック３に挿入することにより、変換パーツ７とイヤフォンジャック３が接続される。イヤフォンプラグ５aを変換パーツ７のプラグ挿入部４８に挿入し、イヤフォン５と変換パーツ７が接続されることにより、イヤフォン５の導通部５３、及び変換パーツの導通部４９ｃが接続される。イヤフォンジャック接続部４６をイヤフォンジャック３に挿入し、変換パーツ７とイヤフォンジャック３が接続されることにより、イヤフォンジャック３の導通部５２、及び変換パーツの導通部４９aが接続される。
【００３９】
次に変換パーツ７のヒンジ機構４５について図６(a)、(ｂ)を用いて説明する。図６(a)、(ｂ)は、イヤフォン５と変換パーツ７が接続され、変換パーツ７とイヤフォンジャック３が接続された状態を示している。
【００４０】
図６(a)に示すように、変換パーツ７、又はイヤフォン５に矢印ｃの方向へ一定以上の力が加えられない限りは、ヒンジ機構４５は、図４(ｄ)でも説明したように磁石５０a、５０ｂにより保持された状態になっている。しかし、変換パーツ７、又はイヤフォン５に矢印ｃ方向へ一定以上の力が加えられると、例えば、イヤフォン５の被覆配線が引っ張られることによって、矢印ｃ方向に対して一定以上の力が加わると、図６(ｂ)に示すように、磁石５０a、５０ｂが互いに引き離され、ヒンジ機構４５の保持が解除されることになる。ヒンジ機構４５を備えていない構成において、仮に、矢印ｃ方向への強い力が加わると、変換パーツ７、イヤフォンプラグ５aが折れてしまい、破損してしまう危険性が高いが、本実施形態のように、変換パーツ７にヒンジ機構４５を設け、変換パーツ７、又はイヤフォン５にかかる力を逃がすことにより、イヤフォンプラグ５aやイヤフォンジャック３の破損を回避することが出来る。
【００４１】
また、本実施形態においては、変換パーツ７がイヤフォンジャック３の接続部分に対して回転可能に取り付けられており、遊技者が、変換パーツ７、又はイヤフォン５に対して、一定以上の力を加えると予測される方向にヒンジ機構４５が配置されるように、回転することにより、更に効果的に破損を回避することが出来る。例えば、図７に示すように、パチンコ機２の遊技者が、変換パーツ７、又はイヤフォン５に対して、矢印ｄ方向に一定以上の力を加えることで破損されるケースが多いと予測される場合には、変換パーツ７の配置位置を図６(a)、(ｂ)の状態から矢印e方向に回転させることで、図７(a)、(ｂ)の状態になるように配置位置を変更することが出来る。このように変換パーツ７を回転可能な構成としては、変換パーツ７を所定角度回転する毎に、変換パーツ７が固定されるラッチ式の構成とすることが考えられる。
【００４２】
以上、説明した本実施形態によれば、イヤフォンプラグ５aをプラグ挿入部４８から脱抜する方向以外の方向(例えば、図６に示す矢印ｃ方向、図７に示す矢印ｄ方向)への一定以上の力が変換パーツ７、又はイヤフォン５に加わることによって磁石５０a、５０ｂによるヒンジ機構４５の保持が解除され、変換パーツ７、又はイヤフォン５に加えられる力を逃がすことによってイヤフォン５及びイヤフォンジャック３の破損を回避することができる。
【００４３】
変換パーツ７に設けられたプラグ挿入部４８は、従来の規格であるイヤフォンプラグ５aを挿入可能な形状であり、変換パーツ７に設けられたイヤフォンジャック接続部４６の形状は、イヤフォンプラグ５aと略同一形状であるので、従来に存在しない変換パーツ７という部材を既存の規格のイヤフォンプラグ５a、及びイヤフォンジャック３に接続することが可能となっている。
【００４４】
変換パーツ７がイヤフォンジャック３の接続部分に対して回転可能であるため、利用者の位置関係を考慮して、変換パーツ７、又はイヤフォン５に一定以上の力がかかり易い方向にヒンジ機構４５がくるように変換パーツ７を回転させれば、より効果的にイヤフォン５及びイヤフォンジャック３の破損を回避することができる。
【００４５】
ヒンジ機構４５の保持が解除された状態のときには、変換パーツの導通部４９ｂと変換パーツの導通部４９ｃの接続が解除され、イヤフォン５からの音声出力が行われないことにより、例えば、利用者の不注意により、イヤフォン５、又は変換プラグ７に一定以上の力が加わってしまいヒンジ機構４５の保持が解除された場合には、イヤフォン５からの音声出力が止まるので、イヤフォン５、又は変換プラグ７に余計な力が加わってしまっていたことに対して、利用者に注意を促すことが出来る。
【００４６】
(第２実施形態)
次に図８〜１１を用いて第２実施形態の音聴取装置１について説明する。第１実施形態では、変換パーツ７のイヤフォンジャック接続部４６をイヤフォンジャック３に接続することで、変換パーツ７とイヤフォンジャック３を接続する構成であったが、第２実施形態の音聴取装置１では、変換パーツ７がイヤフォンジャック３に内蔵されており、変換パーツ７とイヤフォンジャック３が一体的に構成されている。以後、本実施形態の第１実施形態に対応する番号を１００番台として説明は省略する。
【００４７】
図８を用いて、本実施形態の音聴取装置１０１について説明する。音聴取装置１０１は、変換パーツ１０７が内蔵されたイヤフォンジャック１０３、イヤフォン１０５、情報表示装置１０９から構成される。イヤフォンジャック１０３に内蔵された変換パーツ１０７にイヤフォン１０５を接続することにより、パチンコ機１０２から出力される音声をイヤフォン１０５から聴取可能となる。
【００４８】
尚、イヤフォン１０５には、イヤフォン１０５をイヤフォンジャック１０３に内蔵された変換パーツ１０７に接続する為のイヤフォンプラグ１０５aが備えられている。イヤフォンジャック１０３は、情報表示装置１０９に設けられている。
【００４９】
情報表示装置１０９は、パチンコ機１０２の大当たり遊技状態が終了してから、又は遊技店の開店時からの特別図柄の変動回数、大当たり回数等を表示する情報表示器１１１、外部スピーカ１１２等を備えている。
【００５０】
イヤフォンジャック１０３に内蔵された変換パーツ１０７にイヤフォン１０５を接続していない場合、遊技に関する音声は外部スピーカ１１２から出力されるように構成されている。イヤフォンジャック１０３に内蔵された変換パーツ１０７にイヤフォン１０５を接続している場合、外部スピーカ１１２からの出力はなされないが、遊技者はイヤフォン１０５から遊技に応じた効果音を聴取することが可能であり、このイヤフォン１０５から音声を聴取することにより隣接したパチンコ機１０２が出力する効果音等の周囲の音声が抑えられるため、パチンコ機１０２の効果音を聴き取りやすくなる。また、情報表示装置１０９には、イヤフォン１０５又は外部スピーカ１１２に出力される音量を調整する音量調節スイッチ１１５が設けられ、聴き取りやすいように調整可能である。音量調節スイッチ１１５は、一対の押しボタンから構成されており、一対の押しボタンのうち、右側のボタンを押す毎にイヤフォン１０５から聞こえる音が次第に大きくなり、左側のボタンを押すことでイヤフォン１０５から聞こえる音が次第に小さくなる構成となっている。これにより、遊技者は所望の音量でパチンコ機１０２の遊技音を聴くことができる。尚、音量調節スイッチ１１５は音量が調整出来る形状であれば、本実施形態に挙げたものに限定されるわけではない。外部スピーカ１１２、イヤフォン１０５からの音声出力制御は、主制御装置(図示せず)から、情報表示装置１０９、イヤフォンジャック１０３等を介して、電気信号が外部スピーカ１１２、イヤフォン１０５に出力されることにより行われる。より具体的には、この電気信号は、情報表示装置１０９、イヤフォンジャック１０３の導通部１５２、変換パーツの導通部１４９、イヤフォン５の導通部１５３の順番に流れ、主制御装置５からイヤフォン５に出力される。
【００５１】
尚、情報表示装置１０９の左下部には、情報表示器１１１の表示を切替える表示切替スイッチ１１７が、左右上部には各種ランプ１２２aが、下部には各種ＬＥＤ１２２ｂが設けられている。
【００５２】
次に図９(a)〜(ｄ)を用いて、イヤフォンジャック１０３の一部として組み込まれた変換パーツ１０７について説明する。図９(a)は変換パーツ１０７の正面図を、(ｂ)は側面図を、(ｃ)は、ｃ−ｃ断面図を、(ｄ)は、変換パーツ１０７のヒンジ機構１４５の説明図である。
【００５３】
変換パーツ１０７には、図９(ｂ)に示す通り、配線１５１が接続されており、この配線１５１は、変換パーツ１０７とイヤフォンジャック１０３を一体的に構成するために設けられている。また図９(ｃ)に示す通り、変換パーツ１０７には、イヤフォンプラグ１０５aを挿入可能なプラグ挿入部１４８が備えられている。更に、変換パーツ１０７には、ヒンジ機構１４５、磁石１５０a、磁石１５０ｂ、変換パーツ１０７の導通部１４９が設けられている。図９(ｄ)の左側の図が示すように、ヒンジ機構１４５は、配線１５１側に設けられた磁石１５０aと、プラグ挿入部１４８側に設けられた磁石１５０ｂの接続により、常時保持されているが、変換パーツ１０７又はイヤフォン１０５に一定以上の力が加わることにより、図９(ｄ)の右側の図が示すようにヒンジ機構１４５の保持が解除される。詳しくは後述する。尚、ヒンジ機構１４５が、磁石１５０aと、磁石１５０ｂの接続により、保持されている状態のときに、電気信号が主制御装置からイヤフォン１０５に出力される場合、当該電気信号は、イヤフォンジャック１０３の導通部１５２、変換パーツの導通部１４９を通過して、イヤフォン１０５に出力されることになるが、ヒンジ機構１４５の保持が解除された状態のときには、変換パーツの導通部１４９と、イヤフォンジャック１０３の導通部１５２の接続も解除されるので(図９(ｄ)の右側の図参照)、電気信号を主制御装置からイヤフォン１０５に出力しても、当該電気信号が、イヤフォンジャック１０３の導通部１５２から変換パーツの導通部１４９へと流れないので、結果的にイヤフォン１０５への電気信号の出力がなされず、イヤフォン１０５の音声出力は行われないことになる。
【００５４】
図１０は、イヤフォン１０５とイヤフォンジャック１０３の一部として組み込まれた変換パーツ１０７の接続を示す説明図であり、図１０の矢印fが示す方向に、イヤフォンプラグ１０５aが変換パーツ１０７のプラグ挿入部１４８に挿入されることにより、イヤフォン１０５とイヤフォンジャック１０３が接続される。このように、イヤフォンプラグ１０５aを変換パーツ１０７のプラグ挿入部１４８に挿入し、イヤフォン１０５とイヤフォンジャック１０３を接続することにより、変換パーツの導通部１４９とイヤフォン１０５の導通部１５３が接続され、その結果、主制御装置からイヤフォン１０５に対して、イヤフォンジャック１０３の導通部１５２、変換パーツ１０７の導通部１４９、イヤフォン１０５の導通部１５３を介して、電気信号を出力することで、イヤフォン１０５に電気信号が伝わり、イヤフォン１０５に音声を出力することができる。
【００５５】
次にイヤフォンジャック１０３の一部として組み込まれる変換パーツ１０７のヒンジ機構１４５について図１１(a)、(ｂ)を用いて説明する。図１１(a)、(ｂ)は、イヤフォン１０５とイヤフォンジャック１０３に内蔵された変換パーツ１０７が接続された状態を示している。
【００５６】
変換パーツ１０７に、図１１(a)に示すように、例えば、矢印ｇ方向に一定以上の力が加えられない限りは、ヒンジ機構１４５は、磁石１５０a、１５０ｂにより固着保持された状態になっている。しかし、変換パーツ１０７に矢印ｇの方向への一定以上の力が加えられると、例えば、イヤフォン１０５の被覆配線が引っ張られることによって、変換パーツ１０７又はイヤフォン１０５に矢印ｇ方向に力が加わると、図１１(ｂ)に示すように、ヒンジ機構１４５の保持が解除されることになる。これにより、変換パーツ１０７、又はイヤフォン１０５に矢印ｇ方向への力が加えられた場合に、ヒンジ機構１４５により変換パーツ１０７、又はイヤフォン１０５にかかる力を逃がすので、イヤフォンプラグ１０５aやイヤフォンジャック１０３の破損を回避することが出来る。例えば、ヒンジ機構１４５を備えていない構成において、図１１(ｂ)に示すように、例えばイヤフォン１０５の被覆配線が矢印ｇの方向に強く引っ張られた場合には、イヤフォンプラグ１０５a、変換パーツ１０７が折れてしまう危険性がある。尚、イヤフォン１０５に矢印ｇ方向へ一定以上の力が加えられると、イヤフォンプラグ１０５aが変換パーツ１０７のプラグ挿入部１４８から抜けるように、本実施形態のイヤフォンプラグ１０５aの形状を構成することが好ましい。
【００５７】
更に、ヒンジ機構１４５の保持が解除されることによって、ヒンジ機構１４５の保持されていたときには、互いに接続されていた変換パーツ１０７の導通部１４９、及びイヤフォンジャックの導通部１５２の接続が遮断されることになる(図１１(ｂ)参照)。このように、変換パーツ１０７の導通部１４９、及びイヤフォンジャックの導通部１５２の接続が遮断されると同時に、イヤフォン１０５から出力されていた音声も同時に遮断されることになる。
【００５８】
以上説明した第２実施形態によれば、第１実施形態と同様の効果を奏する他に、イヤフォンジャック１０３に変換パーツ１０７が組み込まれた構成により、イヤフォン１０５、変換パーツ１０７、イヤフォンジャック１０３の接続の手間が省け、便利である。
【００５９】
(第３実施形態)
次に図１２、１３を用いて第３実施形態の音聴取装置１について説明する。第１実施形態、第２実施形態では、イヤフォンプラグ５aを変換パーツ７に接続可能な構成としているが、第３実施形態では、イヤフォンプラグ５aは構成として存在するが、変換パーツ７は存在しない構成となっている。以後、本実施形態の第１実施形態に対応する番号を２００番台として説明は省略する。
【００６０】
図１２を用いて、本実施形態の音聴取装置２０１について説明する。音聴取装置２０１は、イヤフォンジャック２０３、イヤフォン２０５、情報表示装置２０９から構成される。イヤフォンジャック２０３にイヤフォン２０５を接続することにより、パチンコ機２０１から出力される音声をイヤフォン２０５から聴取可能となる。
【００６１】
尚、イヤフォン２０５には、イヤフォン２０５をイヤフォンジャック２０３に接続する為のイヤフォンプラグ２０５aが備えられている。イヤフォンジャック２０３は、情報表示装置２０９に設けられている。更にイヤフォンジャック２０３には、イヤフォンプラグ２０５aを接続するための磁石２５０ｃが設けられている。この磁石２５０ｃと、イヤフォンプラグ２０５aの磁石２５０ｄ(図１３参照)の吸引により、イヤフォンジャック２０３と、イヤフォンプラグ２０５aが接続される。
【００６２】
情報表示装置２０９は、パチンコ機２０２の大当たり遊技状態が終了してから、又は遊技店の開店時からの特別図柄の変動回数、大当たり回数等を表示する情報表示器２１１、外部スピーカ２１２等を備えている。
【００６３】
イヤフォンジャック２０３にイヤフォン２０５を接続していない場合、遊技に関する音声は外部スピーカ２１２から出力されるように構成されている。イヤフォンジャック２０３にイヤフォン２０５を接続している場合、外部スピーカ２１２からの出力はなされないが、遊技者はイヤフォン２０５から遊技に応じた効果音を聴取することが可能であり、このイヤフォン２０５から音声を聴取することにより隣接したパチンコ機２０２が出力する効果音等の周囲の音声が抑えられるため、パチンコ機２０２の効果音を聴き取りやすくなる。また、情報表示装置２０９には、イヤフォン２０５又は外部スピーカ２１２に出力される音量を調整する音量調節スイッチ２１５が設けられ、聴き取りやすいように調整可能である。音量調節スイッチ２１５は、一対の押しボタンから構成されており、一対の押しボタンのうち、右側のボタンを押す毎にイヤフォン２０５から聞こえる音が次第に大きくなり、左側のボタンを押すことでイヤフォン２０５から聞こえる音が次第に小さくなる構成となっている。これにより、遊技者は所望の音量でパチンコ機２０２の遊技音を聴くことができる。尚、音量調節スイッチ２１５は音量が調整出来る形状であれば、本実施形態に挙げたものに限定されるわけではない。
【００６４】
尚、情報表示装置２０９の左下部には、情報表示器２１１の表示を切替える表示切替スイッチ２１７が、左右上部には各種ランプ２２２aが、情報表示器２１１の下部には各種ＬＥＤ２２２ｂが設けられている。
【００６５】
次に図１３(a)〜(ｃ)を用いて、本実施形態のイヤフォン２０５及びイヤフォンプラグ２０５aについて説明する。図１３(a)はイヤフォン２０５を示す図であり、(ｂ)はイヤフォンプラグ２０５aの正面図を、(ｃ)は、イヤフォンプラグ２０５aのｄ−ｄ断面図を示している。
【００６６】
図１３(a)に示すように、本実施形態のイヤフォンプラグ２０５aは、第１、２実施形態の変換パーツ７と略同一形状である。図１３(b)に示すように、イヤフォンプラグ２０５aには磁石２５０ｄが設けられており、イヤフォンジャック２０３に設けられた磁石２５０ｃと、イヤフォンプラグ２０５aに設けられた磁石２５０ｄの吸引により、イヤフォンジャック２０３とイヤフォン２０５を接続することが可能となっている。磁石２５０ｃ、磁石２５０ｄの吸引により、イヤフォンジャック２０３とイヤフォン２０５が接続されているときに、イヤフォン２０５をイヤフォンジャック２０３と逆方向に少々引っ張ったくらいでは外れることはないが、強く引っ張った場合には外れるようになっている。また、イヤフォンジャック２０３とイヤフォン２０５が接続されているときに、イヤフォン２０５をイヤフォンジャック２０３に接続する方向以外の方向に一定以上の力を加えられると、磁石２５０ｃと磁石２５０ｄの接続が外れるようになっている。このように、磁石２５０ｃと磁石２５０ｄの接続を外すことにより、イヤフォン２０５に直接加わる力を逃すことができる。尚、磁石２５０ｃ、磁石２５０ｄの吸引によるイヤフォンジャック２０３とイヤフォン２０５の接続に伴い、イヤフォンジャックの導通部２５２とイヤフォンの導通部２５３が接続され、主制御装置からイヤフォン２０５に対して、イヤフォンジャックの導通部２５２とイヤフォンの導通部２５３を介して、イヤフォン２０５の音声出力制御に係わる電気信号を出力することができる。
【００６７】
以上説明した第３実施形態によれば、イヤフォンプラグ２５３aの磁石２５０ｄ、及びイヤフォンジャック２０３の磁石２５０ｃの吸引により、イヤフォンジャック２０３とイヤフォン２０５が接続される構成としたので、磁石２５０ｄと磁石２５０ｃが吸引される方向とは相違する方向に一定以上の強い力がイヤフォン２０５に加わることによって、磁石２５０ｃ、２５０ｄの吸引による接続が外れ、加えられた力がイヤフォン２０５に直接かからないように力を逃すことで、イヤフォン２０５の破損を回避することができる。
【００６８】
(第４実施形態)
次に図１４〜１９を用いて第４実施形態の音聴取装置１について説明する。第４実施形態の音聴取装置１では、変換パーツ７とイヤフォンジャック３が磁石により接続される構成になっている。以後、本実施形態の第１実施形態に対応する番号を３００番台として説明は省略する。
【００６９】
図１４を用いて、本実施形態の音聴取装置３０１について説明する。音聴取装置３０１は、イヤフォンジャック３０３、イヤフォン３０５、変換パーツ３０７、情報表示装置３０９から構成される。イヤフォンジャック３０３に変換パーツ３０７を介して、イヤフォン３０５を接続することにより、パチンコ機３０１から出力される音声をイヤフォン３０５から聴取可能となる。
【００７０】
尚、イヤフォン３０５には、イヤフォン３０５を変換パーツ３０７に接続する為のイヤフォンプラグ３０５aが備えられている。イヤフォンジャック３０３は、情報表示装置３０９に設けられている。
【００７１】
情報表示装置３０９は、パチンコ機３０２の大当たり遊技状態が終了してから、又は遊技店の開店時からの特別図柄の変動回数、大当たり回数等を表示する情報表示器３１１、外部スピーカ３１２等を備えている。
【００７２】
イヤフォンジャック３０３に変換パーツ３０７を介して、イヤフォン３０５を接続していない場合、遊技に関する音声は外部スピーカ３１２から出力されるように構成されている。イヤフォンジャック３０３に変換パーツ３０７を介して、イヤフォン３０５を接続している場合、外部スピーカ３１２からの出力はなされないが、遊技者はイヤフォン３０５から遊技に応じた効果音を聴取することが可能であり、このイヤフォン３０５から聴取することにより隣接したパチンコ機３０２が出力する効果音等の周囲の音声が抑えられるため、パチンコ機３０２の効果音を聴き取りやすくなる。また、情報表示装置３０９には、イヤフォン３０５又は外部スピーカ３１２に出力される音量を調整する音量調節スイッチ３１５が設けられ、聴き取りやすいように調整可能である。音量調節スイッチ３１５は、一対の押しボタンから構成されており、一対の押しボタンのうち、右側のボタンを押す毎にイヤフォン３０５から聞こえる音が次第に大きくなり、左側のボタンを押すことでイヤフォン３０５から聞こえる音が次第に小さくなる構成となっている。これにより、遊技者は所望の音量でパチンコ機３０２の遊技音を聴くことができる。尚、音量調節スイッチ３１５は音量が調整出来る形状であれば、本実施形態に挙げたものに限定されるわけではない。外部スピーカ３１２、イヤフォン３０５からの音声出力制御は、主制御装置(図示せず)から、情報表示装置３０９、イヤフォンジャック３０３等を介して、電気信号が外部スピーカ３１２、イヤフォン３０５に出力されることにより行われる。より具体的には、この電気信号は、情報表示装置３０９、イヤフォンジャック３０３の導通部３５２、変換パーツの導通部３４９、イヤフォン５の導通部３５３の順番に通過することにより、主制御装置５からイヤフォン５に出力される。
【００７３】
尚、情報表示装置３０９の左下部には、情報表示器３１１の表示を切替える表示切替スイッチ３１７が、左右上部には各種ランプ３２２aが、情報表示器３０９の下方には各種ＬＥＤ３２２ｂが設けられている。
【００７４】
図１５、１６を用いて、本実施形態の変換パーツ３０７及びイヤフォンジャック３０３について説明する。図１５(a)は変換パーツ３０７の正面図を、(ｂ)は変換パーツ３０７の側面図を、(ｃ)は変換パーツ３０７のe−e断面図を示している。図１６(a)は情報表示装置３０９の正面図であり、(ｂ)は情報表示装置３０９のf−f断面図を示している。
【００７５】
変換パーツ３０７には、図１５(a)に示す通り、磁石３５０ｄが備えられており、イヤフォンジャック３０３には、図１６(a)に示す通り、磁石３５０ｃが備えられている。この磁石３５０ｃ、磁石３５０ｄの吸引により、イヤフォンジャック３０３と変換パーツ３０７が接続される。磁石３５０ｃ、磁石３５０ｄの吸引により、イヤフォンジャック３０３と変換パーツ３０７が接続されているときに、変換パーツ３０７をイヤフォンジャック３０３と逆方向に少々引っ張っただけで外れることはないが、一定以上の力で強く引っ張った場合には外れるようになっている。
【００７６】
変換パーツ３０７は、図１５(ｃ)に示す通り、イヤフォンプラグ３０５aを挿入する為のプラグ挿入部３４８を備えている。イヤフォンプラグ３０５aをプラグ挿入部３４８に挿入することで、イヤフォンプラグ３０５aと変換パーツ３０７が接続される。磁石３５０ｃ、磁石３５０ｄの吸引により、イヤフォンジャック３０３と変換パーツ３０７が接続され、イヤフォンプラグ３０５aと変換パーツ３０７が接続されている状態のときに、イヤフォンプラグ３０５aを変換パーツ３０７のプラグ挿入部３４８から脱抜する方向以外の方向に一定以上の力が変換パーツ３０７、又はイヤフォン３０５に加わると、磁石３５０ｃと磁石３５０ｄがずれて、その結果、イヤフォンジャック３０３と変換パーツ３０７の接続が外れ、変換パーツ３０７、又はイヤフォン３０５にかかる力を逃すことにより、イヤフォンジャック３０３、及びイヤフォン３０５の破損防止の効果がある。
【００７７】
尚、図１５(a)、及び図１６(a)に示す磁石３５０ｃ、３５０ｄの配置位置は、主制御装置からイヤフォン３０５に出力される電気信号に影響がでないように、電気信号が流れる変換パーツ３０７の導通部３４９(図１５(ｃ)参照)、及びイヤフォンジャック３０３の導通部３５２(図１６(a)参照)から若干離れた箇所に磁石３５０ｃ、３５０ｄを備えるように構成している。
【００７８】
次にイヤフォン３０５と変換パーツ３０７の接続、変換パーツ３０７と情報表示装置３０９に設けられたイヤフォンジャック３０３の接続に関して、図１７〜図１９にて説明する。
【００７９】
図１７は、変換パーツ３０７とイヤフォンジャック３０３の接続を示す図である。図１７は、左側から、イヤフォン３０５、変換パーツ３０７のe-e断面図(図１５参照)、情報表示装置３０９のｆ−ｆ断面図(図１６参照)を表している。図１７の矢印ｈが示す方向に、変換パーツ３０７をイヤフォンジャック３０３に近づけることにより、磁石３５０ｃ、３５０ｄが互いに吸引する作用が働き、変換パーツ３０７とイヤフォンジャック３０３が接続されることになる。変換パーツ３０７とイヤフォンジャック３０３が接続されると同時に、変換パーツ３０７の導通部３４９、及びイヤフォンジャック３０３の導通部３５２も互いに接続されることになる。
【００８０】
図１８は、イヤフォン３０５と変換パーツ３０７の接続を示す図である。図１８は、左側から、イヤフォン３０５、変換パーツ３０７及び情報表示装置３０９が接続された状態を示す断面図(図１７参照)を示している。図１８の矢印iが示す方向に、イヤフォンプラグ３０５aが変換パーツ３０７のプラグ挿入部３４８に挿入されることにより、イヤフォン３０５と変換パーツ３０７が接続される。イヤフォン３０５と変換パーツ３０７が接続されることにより、イヤフォン３０５の導通部３５３、変換パーツ３０７の導通部３４９も互いに接続されることになる。
【００８１】
図１９は、最終的にイヤフォン３０５と変換パーツ３０７の接続、及び変換パーツ３０７と情報表示装置３０９に設けられたイヤフォンジャック３０３の接続が完了した図を示している。これにより、主制御装置から出力される電気信号が、情報表示装置３０９、イヤフォンジャック３０３の導通部３５２、変換パーツの導通部３４９、イヤフォン５の導通部３５３の順番に通過するようになり、主制御装置がイヤフォン３０５の音声出力制御を行うことが可能となる。
【００８２】
以上説明した第４実施形態によれば、第１実施形態と同様の効果を奏すると共に、イヤフォンジャック３０３と変換パーツ３０７との接続部分の形状が略平面であるため、遊技者にイヤフォンジャック３０３内に何か(例えば、チューイングガム)を詰め込まれることで破損されることを防止することが出来る。更に、イヤフォンプラグ３０５aを変換パーツ３０７のプラグ挿入部３４８から脱抜する方向以外の方向に一定以上の力が変換パーツ３０７、又はイヤフォン３０５に加わると、磁石３５０ｃと磁石３５０ｄがずれて、その結果、イヤフォンジャック３０３と変換パーツ３０７の接続が外れ、変換パーツ３０７、又はイヤフォン３０５にかかる力を逃す構成により、イヤフォンジャック３０３、及びイヤフォン３０５の破損防止の効果がある。また、イヤフォンジャック３０３の形状を規格外としつつも、イヤフォン３０５との間に変換パーツ３０７を介して接続することにより、一般的なイヤフォン３０５を利用することが可能であり、汎用性を高めることができる。
【００８３】
第４実施形態の変形例１として、図２０(a)〜(ｃ)に示す変換パーツ３０７、及びイヤフォンジャック３０３を用いても良い。図２０(a)は、変換パーツ３０７の正面図、(ｂ)は変換パーツ３０７のｇ-ｇ断面図、(ｃ)はイヤフォンジャック３０３の正面図である。第４実施形態の変形例１では、図２１に示すように、イヤフォンジャック３０３の導通部３５２が凸形状を為しており、変換パーツ３０７の導通部３４９が凹形状を為している。図２２に示すように、変換パーツ３０７、及びイヤフォンジャック３０３を接続するときには、イヤフォンジャック３０３の導通部３５２の凸部が、変換パーツ３０７の導通部３４９の凹部に差し込まれることにより、イヤフォンジャック３０３、及び変換パーツ３０７が接続されるようにした。更に、第４実施形態と同様に、磁石３５０ｃと磁石３５０ｄとの吸引による変換パーツ３０７、及びイヤフォンジャック３０３の接続も為されるので、変換パーツ３０７、及びイヤフォンジャック３０３の接続がより強固なものとなる。また、第４実施形態と比較して、位置決めが的確に行えるように、変換パーツ３０７、及びイヤフォンジャック３０３の接点部分を改良した。
【００８４】
第４実施形態の変形例２として、図２３(a)〜(ｃ)に示す変換パーツ３０７、及びイヤフォンジャック３０３を用いても良い。図２３(a)は、変換パーツ３０７の正面図、(ｂ)は変換パーツ３０７のｈ-ｈ断面図、(ｃ)はイヤフォンジャック３０３の正面図である。変形例１では、イヤフォンジャック３０３の導通部３５２の凸部が、変換パーツ３０７の導通部３４９の凹部に差し込まれることにより、変換パーツ３０７、及びイヤフォンジャック３０３が接続されるが、変形例２では、図２４、図２５に示すように、イヤフォンジャック３０３の導通部３５２が凹形状を為しており、変換パーツ３０７の導通部３４９が凸形状を為しており、変換パーツ３０７の導通部３４９の凸部が、イヤフォンジャック３０３の導通部３５２の凹部に差し込まれることにより、イヤフォンジャック３０３、及び変換パーツ３０７が接続されるようにした。
【００８５】
第４実施形態の変形例３として、図２６(a)〜(ｃ)に示す変換パーツ３０７、及びイヤフォンジャック３０３を用いても良い。図２６(a)は、変換パーツ３０７の正面図、(ｂ)は変換パーツ３０７のi-i断面図、(ｃ)はイヤフォンジャック３０３の正面図である。第４実施形態、及び変形例１、２では、変換パーツ３０７の導通部３４９、及びイヤフォンジャック３０３の導通部３５２を円状配置していたが、変形例３では、変換パーツ３０７の導通部３４９、及びイヤフォンジャック３０３の導通部３５２を円弧状として距離を取るように配置している。変形例３では、変形例１と同様に、イヤフォンジャック３０３の導通部３５２が凸形状を為しており、変換パーツ３０７の導通部３４９が凹形状を為しており、イヤフォンジャック３０３の導通部３５２の凸部が、変換パーツ３０７の導通部３４９の凹部に差し込まれることにより、イヤフォンジャック３０３、及び変換パーツ３０７が接続されるように構成している。更に、第４実施形態と同様に、磁石３５０ｃと磁石３５０ｄとの吸引により、変換パーツ３０７、及びイヤフォンジャック３０３の接続がより強固なものとなる。
【００８６】
第４実施形態の変形例４として、図２７(a)〜(ｃ)に示す変換パーツ３０７、及びイヤフォンジャック３０３を用いても良い。図２７(a)は、変換パーツ３０７の正面図、(ｂ)は変換パーツ３０７のｊ-ｊ断面図、(ｃ)はイヤフォンジャック３０３の正面図である。変形例４では、変形例３と異なり、変換パーツ３０７の導通部３４９の凸部が、イヤフォンジャック３０３の導通部３５２の凹部に差し込まれることにより、イヤフォンジャック３０３、及び変換パーツ３０７が接続される構成となっており、その他の構成は、変形例３と同様である。尚、接続状態をよくするために、変形例３、４の変換パーツ３０７の導通部３４９、及びイヤフォンジャック３０３の導通部３５２の接触面積を、変形例１、２の変換パーツ３０７の導通部３４９、及びイヤフォンジャック３０３の導通部３５２の接触面積と略同じになるように構成しても良い。
【００８７】
以上説明した第４実施形態の変形例１〜４によれば、第４実施形態と同一の効果を奏すると共に、イヤフォンジャック３０３の導通部３５２が凸形状を、変換パーツ３０７の導通部３４９が凹形状を為しており、又は、イヤフォンジャック３０３の導通部３５２が凹形状を、変換パーツ３０７の導通部３４９が凸形状を為しており、イヤフォンジャック３０３の導通部３５２の凸部が、変換パーツ３０７の導通部３４９の凹部に差し込まれる、又は変換パーツ３０７の導通部３４９の凸部が、イヤフォンジャック３０３の導通部３５２の凹部に差し込まれることにより、イヤフォンジャック３０３、及び変換パーツ３０７が接続されるので、変換パーツ３０７、及びイヤフォンジャック３０３の接続がより強固なものとなる。
【００８８】
尚、以上説明した第１〜第４実施形態において、イヤフォン５から出力される音声として、ＴＶ、有線放送、ラジオ等から流れる音声を出力するようにしても良い。この構成とした場合、これらの音声のうち、どの音声を聴取するかを、遊技者が選択できるようにすると好適である。更に、情報表示装置９にカセットデッキ、ＭＤ、ＣＤを挿入する挿入口を設け、カセットデッキ、ＭＤ、ＣＤに記憶されている音声をイヤフォン５から出力しても良い。遊技者が遊技店に持参したＭＤプレイヤー、ＣＤプレイヤーを情報表示装置９に挿入可能とし、当該ＭＤプレイヤー、ＣＤプレイヤーに挿入されたメディアに記憶された音声を聴取可能にすることも考えられる。
【００８９】
更に、変換パーツ７を遊技施設にてレンタル又は景品として置いておくようにし、イヤフォン５を遊技施設にて景品として置いておくことが好ましい。イヤフォン５は遊技者が私物を使用しても良い。第１〜第４実施形態では、パチンコ機２を例に取り、音聴取装置１を説明したが、他の製品(例えば、ＣＤプレイヤーなどの音響機器やウォークマンのような携帯型音響機器など)に本実施形態の音聴取装置１を採用することもできる。
【００９０】
第３、及び第４実施形態において、イヤフォンジャック２０３、３０３に設けられる磁石２５０ｃ、３５０ｃを電磁石で構成し、該電磁石の近傍に電磁石の動きを検出するスイッチ(図示略)を備え、イヤフォンジャック２０３、３０３の磁石２５０ｃ、３５０ｃが変換パーツ２０７、３０７に向けて引かれるような力が加わったとき（変換パーツ２０７、３０７がイヤフォンジャック２０３、３０３から離脱する方向への力が加わったとき）に電磁石をＯＦＦにし、イヤフォンジャック２０３、３０３と変換パーツ２０７、３０７の接続が解除される構成としても良い。
【００９１】
以上の実施形態は、本発明の態様を実施するに当たって、本発明者により採用された技術の代表例である。これら技術は本発明の実施のための好ましい実施形態の例示である。また、本技術分野に属する者は、本発明の開示に鑑みて、本発明の精神及び意図された要旨から離れることなく多数の改変・追加等が可能であることはいうまでもない。
【図面の簡単な説明】
【００９２】
【図１】第１実施形態における音聴取装置１を示す図である。
【図２】遊技店内に隣接して配置された音聴取装置１、パチンコ機２を示す図である。
【図３】第１実施形態におけるパチンコ機２の正面図である。
【図４】(a)は、変換パーツ７の正面図を、(ｂ)は変換パーツ７の側面図を、(ｃ)は、変換パーツ７のa−a断面図を、(ｄ)は、変換パーツ７のヒンジ機構４５を示す図である。
【図５】(a)は、第１実施形態におけるイヤフォン５と変換パーツ７の接続、変換パーツ７と情報表示装置９に設けられたイヤフォンジャック３の接続を示す図であり、(ｂ)は情報表示装置９の正面図である。
【図６】(a)は、ヒンジ機構４５が磁石５０a、５０ｂにより保持された状態を示す図であり、(ｂ)はヒンジ機構４５の保持が解除された状態を示す図である。
【図７】図６(a)、(ｂ)の状態からヒンジ機構４５を回転させた図である。
【図８】第２実施形態における音聴取装置１０１を示す図である。
【図９】(a)は変換パーツ１０７の正面図を、(ｂ)は変換パーツ１０７の側面図を、(ｃ)は、変換パーツ１０７のｃ−ｃ断面図を、(ｄ)は、変換パーツ１０７のヒンジ機構１４５を示す図である。
【図１０】イヤフォン１０５とイヤフォンジャック１０３の一部として組み込まれた変換パーツ１０７の接続を示す図である。
【図１１】(a)は、ヒンジ機構１４５が磁石１５０a、１５０ｂにより保持された状態を示す図であり、(ｂ)はヒンジ機構１４５の保持が解除された状態を示す図である。
【図１２】第３実施形態における音聴取装置２０１を示す図である。
【図１３】(a)はイヤフォン２０５を示す図であり、(ｂ)はイヤフォンプラグ２０５aの正面図を、(ｃ)は、イヤフォンプラグ２０５aのｄ−ｄ断面図を示す図である。
【図１４】第４実施形態における音聴取装置３０１を示す図である。
【図１５】(a)は変換パーツ３０７の正面図であり、(ｂ)は変換パーツ３０７の側面図を、(ｃ)は、変換パーツ３０７のe−e断面図を示している。
【図１６】(a)は情報表示装置３０９に設けられたイヤフォンジャック３０３を示す正面図であり、(ｂ)は情報表示装置のｆ-ｆ断面図を示す図である。
【図１７】変換パーツ３０７とイヤフォンジャック３０３の接続を示す図である。
【図１８】イヤフォン３０５と変換パーツ３０７の接続を示す図である。
【図１９】イヤフォン３０５と変換パーツ３０７の接続、及び変換パーツ３０７と情報表示装置３０９に設けられたイヤフォンジャック３０３の接続が完了した図を示している。
【図２０】第４実施形態の変形例１においての、(a)は、変換パーツ３０７の正面図、(ｂ)は変換パーツ３０７のｇ-ｇ断面図、(ｃ)はイヤフォンジャック３０３の正面図である。
【図２１】第４実施形態の変形例１において変換パーツ３０７、イヤフォンジャック３０３を示す図である。
【図２２】第４実施形態の変形例１においての、イヤフォン３０５、変換パーツ３０７、及びイヤフォンジャック３０３の接続を示す図である。
【図２３】第４実施形態の変形例２においての、(a)は、変換パーツ３０７の正面図、(ｂ)は変換パーツ３０７のｈ-ｈ断面図、(ｃ)はイヤフォンジャック３０３の正面図である。
【図２４】第４実施形態の変形例２において変換パーツ３０７、イヤフォンジャック３０３をを示す図である。
【図２５】第４実施形態の変形例２においての、イヤフォン３０５、変換パーツ３０７、及びイヤフォンジャック３０３の接続を示す図である。
【図２６】第４実施形態の変形例３においての、(a)は、変換パーツ３０７の正面図、(ｂ)は変換パーツ３０７のi-i断面図、(ｃ)はイヤフォンジャック３０３の正面図である。
【図２７】第４実施形態の変形例４においての、(a)は、変換パーツ３０７の正面図、(ｂ)は変換パーツ３０７のｊ-ｊ断面図、(ｃ)はイヤフォンジャック３０３の正面図である。
【符号の説明】
【００９３】
１…音聴取装置  ２…パチンコ機（遊技機）  ３…イヤフォンジャック
５…イヤフォン  ５a…イヤフォンプラグ  ７…変換パーツ
９…情報表示装置  ４５…ヒンジ機構  ４６…イヤフォンジャック接続部
４８…プラグ挿入部  ５０a、５０ｂ…磁石
【図１】
2007110545.tif 000003
【図２】
2007110545.tif 000004
【図３】
2007110545.tif 000005
【図４】
2007110545.tif 000006
【図５】
2007110545.tif 000007
【図６】
2007110545.tif 000008
【図７】
2007110545.tif 000009
【図８】
2007110545.tif 000010
【図９】
2007110545.tif 000011
【図１０】
2007110545.tif 000012
【図１１】
2007110545.tif 000013
【図１２】
2007110545.tif 000014
【図１３】
2007110545.tif 000015
【図１４】
2007110545.tif 000016
【図１５】
2007110545.tif 000017
【図１６】
2007110545.tif 000018
【図１７】
2007110545.tif 000019
【図１８】
2007110545.tif 000020
【図１９】
2007110545.tif 000021
【図２０】
2007110545.tif 000022
【図２１】
2007110545.tif 000023
【図２２】
2007110545.tif 000024
【図２３】
2007110545.tif 000025
【図２４】
2007110545.tif 000026
【図２５】
2007110545.tif 000027
【図２６】
2007110545.tif 000028
【図２７】
2007110545.tif 000029